(57)【要約】【課題】作像部の安定動作、異常画像防止、除湿効率の向上、及び除湿手段の画像形成装置への組付け工程を簡略化する画像形成装置および吸排気装置を提供する。【解決手段】冷却除湿部材１１と排熱部材１２との間に配置されるペルチェ素子１０を有する除湿手段１３と、冷却除湿部材１１側に設けた除湿気流経路Ａ及び排熱部材１２側に設けた排熱気流経路Ｂの共通開口面を一体に覆う除湿排熱ケース１５と、除湿手段１３の次段に接続され、除湿気流経路Ａから気流経路２４を通して除湿空気Ｃを導入する電子写真方式の作像部１４と、を備える。【選択図】図１
2006163332.tif 000002
【特許請求の範囲】
【請求項１】
冷却除湿部材と排熱部材を有する除湿手段と、
前記冷却除湿部材側に設けた除湿気流経路及び前記排熱部材側に設けた排熱気流経路の共通開口面を一体に覆う除湿排熱ケースと、
前記除湿手段の次段に接続され、前記除湿気流経路から気流経路を通して除湿空気が導入される電子写真方式の作像部と、
を備えることを特徴とする画像形成装置。
【請求項２】
冷却除湿部材と排熱部材との間に配置されるペルチェ素子を有する除湿手段と、
前記冷却除湿部材側に設けた除湿気流経路及び前記排熱部材側に設けた排熱気流経路の共通開口面を一体に覆う除湿排熱ケースと、
前記除湿手段の次段に接続され、前記除湿気流経路から気流経路を通して除湿空気が導入される電子写真方式の作像部と、
を備えることを特徴とする画像形成装置。
【請求項３】
前記除湿手段は、前記排熱気流経路から排熱を放出する排熱ファンをさらに備えることを特徴とする請求項１または２に記載の画像形成装置。
【請求項４】
前記除湿手段は、前記冷却除湿部材の前段に設けた除湿気流ファンをさらに備えることを特徴とする請求項１または２に記載の画像形成装置。
【請求項５】
前記作像部には、前記除湿気流ファンから前記冷却除湿部材を通して送出された除湿空気が導入されることを特徴とする請求項４に記載の画像形成装置。
【請求項６】
前記気流経路は、除湿異物除去部材を備えることを特徴とする請求項１または２に記載の画像形成装置。
【請求項７】
前記排熱気流経路は、排熱異物除去部材を備えることを特徴とする請求項１または２に記載の画像形成装置。
【請求項８】
除湿異物除去部材と排熱異物除去部材を兼ねた共用異物除去部材を備えることを特徴とする請求項１または２に記載の画像形成装置。
【請求項９】
前記排熱気流経路は、除湿水を貯える吸水拡散部材を備えることを特徴とする請求項１または２に記載の画像形成装置。
【請求項１０】
前記作像部は、感光体と、前記感光体に近接する像転写手段を有することを特徴とする請求項１または２に記載の画像形成装置。
【請求項１１】
前記作像部は、感光体と、前記感光体に隣接する像転写手段を一体的に外部に取出すプロセスカートリッジであることを特徴とする請求項１または２に記載の画像形成装置。
【請求項１２】
前記作像部は、転写紙、転写紙搬送手段、および転写紙容器を有することを特徴とする請求項１または２に記載の画像形成装置。
【請求項１３】
前記作像部は、それぞれ独立した感光体を有しカラー作像機構を備えることを特徴とする請求項１または２に記載の画像形成装置。
【請求項１４】
前記作像部は湿度検出手段を備え、該湿度検出手段は作像部内の相対湿度を検出するとともに、検出湿度が所定値以上を示した場合に、除湿排熱ケース内に配備された所定の機器を動作させることにより該除湿排熱ケース内の空気の除湿処理を行い、該除湿排熱ケースから作像部に除湿空気を供給するものであることを特徴とする請求項１または２に記載の画像形成装置。
【請求項１５】
前記作像部は、前記気流経路から導入された除湿空気を下流の排気経路に排出し、外部から防塵されていることを特徴とする請求項６に記載の画像形成装置。
【請求項１６】
吸気口と、冷却除湿部材と排熱部材を有する除湿手段と、
前記冷却除湿部材側に設けた除湿気流経路及び前記排熱部材側に設けた排熱気流経路の共通開口面を一体に覆う除湿排熱ケースと、
前記除湿気流経路から電子写真方式の作像部へ除湿空気を通過させる気流経路と、
前記除湿気流経路から前記気流経路方向への気流を発生させる除湿気流ファンと、
前記排熱気流経路から排熱を排出する排熱ファンと、
を備えることを特徴とする吸排気装置。
【請求項１７】
吸気口と、冷却除湿部材と排熱部材との間に配置されるペルチェ素子を有する除湿手段と、
前記冷却除湿部材側に設けた除湿気流経路及び前記排熱部材側に設けた排熱気流経路の共通開口面を一体に覆う除湿排熱ケースと、
前記除湿気流経路から電子写真方式の作像部へ除湿空気を通過させる気流経路と、
前記除湿気流経路から前記気流経路方向への気流を発生させる除湿気流ファンと、
前記排熱気流経路から排熱を排出する排熱ファンと、
を備えることを特徴とする吸排気装置。
【請求項１８】
前記除湿手段は、前記除湿気流経路に配置された吸水部材と一体に構成されていることを特徴とする請求項１６または１７に記載の吸排気装置。
【請求項１９】
前記除湿手段は、除湿水を排熱気流経路にて蒸発させることを特徴とする請求項１６または１７に記載の吸排気装置。
【請求項２０】
前記除湿手段は、水の吸水性と拡散性を持つ吸水拡散部材を含めて一体構成され、排熱気流経路にて水を含んだ前記吸水拡散部材に前記排熱を送風して除湿水を蒸発させることを特徴とする請求項１６または１７に記載の吸排気装置。
【発明の詳細な説明】
【技術分野】
【０００１】
本発明は、画像形成装置および吸排気装置に関し、特に内部の除湿を行う除湿手段を備えた電子写真方式の画像形成装置に関する。
【背景技術】
【０００２】
従来は、画像形成装置の除湿ユニットにおいて、送風ファンにより湿気を含んだ複写部内の空気と現像部で発生する粉煙トナーが除湿ユニット内に導かれている。ペルチェ素子の低温部に取りつけられた冷却ファンにて空気内の湿気は結露し水滴となって回収水受け部に落ちる。このとき粉煙トナーは水滴に捕捉され、これとともに回収水受け部に落ちる。湿気および粉煙トナーが除かれた空気は除湿ユニットの外へ排出され複写部内に供給される。このときペルチェ素子の高温部をそれに取りつけられた放熱フィンを介して送風ファンによって冷やすことで、ペルチェ素子の低温部の冷却効率は上がり、その結果除湿効率を上げていた（特許文献１参照。）。
【０００３】
【特許文献１】特開平６−８３１２９号公報（段落００３５〜００３６、図１、図２参照）
【発明の開示】
【発明が解決しようとする課題】
【０００４】
しかしながら、従来の除湿ユニットの組付工程では、ペルチェ素子が偏荷重や衝撃に弱いため、ペルチェ素子、冷却除湿部材、排熱部材が剥き出しになった状態の取り扱いが難しく、手間が煩雑であるという課題が存在していた。
【０００５】
本発明は、上述した課題に鑑み、作像部の安定動作、異常画像防止、除湿効率の向上、及び除湿手段の画像形成装置への組付け工程を簡略化する画像形成装置および吸排気装置を提供することを目的とする。
【課題を解決するための手段】
【０００６】
請求項１にかかる発明は、冷却除湿部材と排熱部材を有する除湿手段と、前記冷却除湿部材側に設けた除湿気流経路及び前記排熱部材側に設けた排熱気流経路の共通開口面を一体に覆う除湿排熱ケースと、前記除湿手段の次段に接続され、前記除湿気流経路から気流経路を通して除湿空気が導入される電子写真方式の作像部と、を備えることを特徴とする画像形成装置である。
請求項２にかかる発明は、冷却除湿部材と排熱部材との間に配置されるペルチェ素子を有する除湿手段と、前記冷却除湿部材側に設けた除湿気流経路及び前記排熱部材側に設けた排熱気流経路の共通開口面を一体に覆う除湿排熱ケースと、前記除湿手段の次段に接続され、前記除湿気流経路から気流経路を通して除湿空気が導入される電子写真方式の作像部と、を備えることを特徴とする画像形成装置である。
請求項３にかかる発明は、前記除湿手段が、前記排熱気流経路から排熱を放出する排熱ファンをさらに備えることを特徴とする請求項１または２に記載の画像形成装置である。
請求項４にかかる発明は、前記除湿手段が、前記冷却除湿部材の前段に設けた除湿気流ファンをさらに備えることを特徴とする請求項１または２に記載の画像形成装置である。
請求項５にかかる発明は、前記作像部には、前記除湿気流ファンから前記冷却除湿部材を通して送出された除湿空気が導入されることを特徴とする請求項４に記載の画像形成装置である。
請求項６にかかる発明は、前記気流経路が、除湿異物除去部材を備えることを特徴とする請求項１または２に記載の画像形成装置である。
請求項７にかかる発明は、前記排熱気流経路が、排熱異物除去部材を備えることを特徴とする請求項１または２に記載の画像形成装置である。
請求項８にかかる発明は、除湿異物除去部材と排熱異物除去部材を兼ねた共用異物除去部材を備えることを特徴とする請求項１または２に記載の画像形成装置である。
請求項９にかかる発明は、前記排熱気流経路が、除湿水を貯える吸水拡散部材を備えることを特徴とする請求項１または２に記載の画像形成装置である。
請求項１０にかかる発明は、前記作像部が、感光体と、前記感光体に近接する像転写手段を有することを特徴とする請求項１または２に記載の画像形成装置である。
請求項１１にかかる発明は、前記作像部が、感光体と、前記感光体に隣接する像転写手段を一体的に外部に取出すプロセスカートリッジであることを特徴とする請求項１または２に記載の画像形成装置である。
請求項１２にかかる発明は、前記作像部が、転写紙、転写紙搬送手段、および転写紙容器を有することを特徴とする請求項１または２に記載の画像形成装置である。
請求項１３にかかる発明は、前記作像部が、それぞれ独立した感光体を有しカラー作像機構を備えることを特徴とする請求項１または２に記載の画像形成装置である。
請求項１４にかかる発明は、前記作像部が湿度検出手段を備え、該湿度検出手段は作像部内の相対湿度を検出するとともに、検出湿度が所定値以上を示した場合に、除湿排熱ケース内に配備された所定の機器を動作させることにより該除湿排熱ケース内の空気の除湿処理を行い、該除湿排熱ケースから作像部に除湿空気を供給するものであることを特徴とする請求項１または２に記載の画像形成装置である。
請求項１５にかかる発明は、前記作像部が、前記気流経路から導入された除湿空気を下流の排気経路に排出し、外部から防塵されていることを特徴とする請求項６に記載の画像形成装置である。
【０００７】
請求項１６にかかる発明は、吸気口と、冷却除湿部材と排熱部材を有する除湿手段と、
前記冷却除湿部材側に設けた除湿気流経路及び前記排熱部材側に設けた排熱気流経路の共通開口面を一体に覆う除湿排熱ケースと、前記除湿気流経路から電子写真方式の作像部へ除湿空気を通過させる気流経路と、前記除湿気流経路から前記気流経路方向への気流を発生させる除湿気流ファンと、前記排熱気流経路から排熱を排出する排熱ファンと、
を備えることを特徴とする吸排気装置である。
請求項１７にかかる発明は、吸気口と、冷却除湿部材と排熱部材との間に配置されるペルチェ素子を有する除湿手段と、前記冷却除湿部材側に設けた除湿気流経路及び前記排熱部材側に設けた排熱気流経路の共通開口面を一体に覆う除湿排熱ケースと、前記除湿気流経路から電子写真方式の作像部へ除湿空気を通過させる気流経路と、前記除湿気流経路から前記気流経路方向への気流を発生させる除湿気流ファンと、前記排熱気流経路から排熱を排出する排熱ファンと、を備えることを特徴とする吸排気装置である。
請求項１８にかかる発明は、前記除湿手段が、前記除湿気流経路に配置された吸水部材と一体に構成されていることを特徴とする請求項１６または１７に記載の吸排気装置である。
請求項１９にかかる発明は、前記除湿手段が、除湿水を排熱気流経路にて蒸発させることを特徴とする請求項１６または１７に記載の吸排気装置である。
請求項２０にかかる発明は、前記除湿手段が、水の吸水性と拡散性を持つ吸水拡散部材を含めて一体構成され、排熱気流経路にて水を含んだ前記吸水拡散部材に前記排熱を送風して除湿水を蒸発させることを特徴とする請求項１６または１７に記載の吸排気装置である。
【発明の効果】
【０００８】
以上のように、本発明によれば、作像部の安定動作、異常画像防止、除湿効率の向上、及び除湿手段の画像形成装置への組付け工程を簡略化する画像形成装置および吸排気装置を提供することができる。
【発明を実施するための最良の形態】
【０００９】
（第１の実施の形態）
以下、本発明の実施形態について図示例と共に説明する。図１から図４は本発明の第１の実施の形態であって、各図中に同一または類似の符号を付した部分は同一物または相当物を表わし、重複した説明は省略する。
【００１０】
図１は、第１の実施の形態にかかる画像形成装置の原理を示すブロック図である。画像形成装置１は、冷却除湿部材１１と排熱部材１２との間に配置されるペルチェ素子１０を有する除湿手段１３と、冷却除湿部材１１側に設けた除湿気流経路Ａ及び排熱部材１２側に設けた排熱気流経路Ｂの共通開口面を一体に覆う除湿排熱ケース１５と、除湿手段１３の次段に接続され、除湿気流経路Ａから気流経路２４を通して除湿空気Ｃを導入する電子写真方式の作像部１４と、を備える。
【００１１】
図１に示すように、画像形成装置１は、吸気口１６、吸気口１６に接続する除湿手段１３、除湿手段１３の下流に位置する気流経路２４、気流経路２４に接続する作像部１４、作像部１４に位置する排気経路２３、排気経路２３の端部に位置する排気口１７を備える。
【００１２】
また、除湿手段１３は、除湿気流ファン２１、除湿気流ファン２１の吐出側に位置し空気との接触面積を増大させるフィン状の冷却除湿部材１１、吸気口１６の下流に位置し空気との接触面積を増大させるフィン状の排熱部材１２、排熱部材１２の下流に位置する排熱ファン２０を備える。
【００１３】
さらに、作像部１４は、気流経路２４と排気経路２３の間に位置し、内部の湿度を検出する湿度検出手段８、転写紙２８を受容する転写紙容器２６、転写紙搬送手段２９、ドラム形状の感光体３１、感光体３１へ像を転写する像転写手段３２を備える。上記湿度検出手段（湿度センサ）８は、作像部１４内の相対湿度を検出するとともに、検出湿度が所定値以上を示した場合に、除湿排熱ケース１５内に配備された所定の機器を動作させることにより該除湿排熱ケース１５内の空気の除湿処理を行い、この除湿排熱ケース１５から作像部１４に除湿空気を供給するものである。なお、この湿度検出手段（湿度センサ）８の機能等については後に詳記する。
【００１４】
さらにまた、画像形成装置１は、防塵対策のため除湿手段１３に設けた排熱ファン２０の吸入口側へ排熱異物除去部材１９を設けてもよく、同様に、気流経路２４の内部に除湿異物除去部材１８を設けてもよい。第１の実施の形態では、作像部１４の安定動作、異常画像防止を図るように、微粒子除去フィルタや静電除去フィルタにより吸気中の微粒子を吸着する手段を適宜用いることができる。
【００１５】
ここで、吸排気装置は、空気を吸入する吸気口１６、冷却除湿部材１１と排熱部材１２との間に配置されるペルチェ素子１０を有する除湿手段１３と、冷却除湿部材１１側に設けた除湿気流経路Ａ及び排熱部材１２側に設けた排熱気流経路Ｂの共通開口面を一体に覆う除湿排熱ケース１５と除湿気流経路Ａから電子写真方式の作像部１４へ除湿空気Ｃを通過させる気流経路２４と、排熱気流経路Ｂから排熱Ｄを排出する排熱ファン２０と、を備える。図１において符号Ｅは、作像部１４からの排出空気である。
【００１６】
図２は、第１の実施の形態にかかる画像形成装置に用いる除湿手段の斜視図である。図１に例示した構成要素と同一の部材については重複する説明を省略する。
【００１７】
図２に示すように、除湿手段１３は二点鎖線で囲んだ領域に位置し、筐体２２に囲まれた除湿気流経路及び排熱気流経路の共通開口面を一体に覆う除湿排熱ケース１５を備える。なお、除湿排熱ケース１５の背面角部では、除湿効果を高める断熱部材９を設けてもよい。
【００１８】
また、除湿手段１３は、前面左側に排気口１７ａを設け、排気ファン２０が排気する排熱空気を排出させることができる。排気口１７ａと排気ファン２０の間の底面及び鉛直面に吸水拡散部材２５を設け、冷却除湿部材１１（図１参照）により冷却する空気内の湿気を結露させた水滴を吸水拡散部材２５に浸透させることができる。
【００１９】
さらに、除湿手段１３は、前面右側に吸気口１６を設け、吸気口１６を覆う除湿異物除去部材１８ａを通して空気を導入させ防塵対策を施すことができる。
【００２０】
図３は、第１の実施の形態にかかる画像形成装置に用いる除湿手段の斜視図である。図中の筐体２２から除湿排熱ケース１５（図１参照）を取り除いた状態を示す。なお、図２に例示した構成要素と同一の部材については重複する説明を省略する。
【００２１】
除湿手段１３は、除湿気流ファン２１の前面に位置する吸気口１６ｂと、除湿気流ファン２１から隔離された吸気口１６ａと、吸気口１６ａ近傍に位置する吸水拡散部材２５と、排気ファン２０の吸入口に設けた排熱異物除去部材１９と、除湿気流ファン２１の下流に位置する複数の冷却除湿部材１１とを備える。
【００２２】
冷却除湿部材１１は、排気ファン２０が負圧で吸引した気流と除湿気流ファン２１が加圧した気流とを分離する隔壁の略中央に形成された開口部に設け、除湿効果及び排熱効果を向上させることができる。
【００２３】
図１のブロック図及び図４の平面図を参照して、画像形成装置の動作を説明する。画像形成装置１は、除湿気流経路から吸引された空気を冷却除湿部材１１で除湿し、除湿した空気を内部の気流経路に通過させて作像部１４へ送出する。
【００２４】
除湿手段１３は、除湿された空気を作像部１４に送出することで、例えば、ゴム部品の特性値（硬度、ヤング率等）の変化や、現像剤の電荷量変化、トナー特性（流動性等）の変化を抑制させて、作像機能が安定したシステムを提供することができる。また、画像ボケ等の高湿条件で生じる異常画像の発生を抑えることもできる。
【００２５】
本例では、作像部１４の作像ユニット（現像手段）３３ｄに湿度検出手段（湿度センサ）８を取り付けている（図１参照）。この湿度センサは作像ユニット内部の湿度を検出するものであり、プロセスコントロールの際に用いられるものと共通のものとすることができる。また、温湿度サンサを用いてもかまわない。
除湿手段１３は、図９のフローチャートに示すように、湿度センサが相対湿度６０％以上を示した場合に動作する。より具体的には、湿度センサが相対湿度６０％以上を示した場合、除湿気流ファン２１（吸熱ファン）、ペルチェ素子１０、排熱ファン２０（放熱ファン）に通電し、外気が吸気口１６ａから、除湿気流ファン２１（吸熱ファン）によって除湿気流経路Ａへ、排熱ファン２０（放熱ファン）によって排熱気流経路Ｂへそれぞれ導入される。そして、除湿気流経路Ａに導入された外気はペルチェ素子１０によって冷却される冷却除湿部材１１によって除湿されて除湿空気Ｃとなり、気流経路２４を通じて作像部１４へ送られる。また、排熱気流経路Ｂに導入された外気はペルチェ素子１０によって加熱される排熱部材１２からの熱で加熱され、吸水拡散部材２５から蒸散される水蒸気を吸収して排熱Ｄとなって排気口１７から放出される。
作像部の湿度が一定以上に達した場合に図９に示すように除湿手段１３を動作させることにより、作像部の湿度が一定未満に保たれ、安定した画像品質を実現することができる。さらに、湿度センサが一定の湿度を示した場合にのみ除湿手段１３を稼動させることにより、省エネルギ化が可能となる。くわえて、作像部１４に送出された空気の風圧により、作像部にある各種センサを清掃して検知精度を向上させることができる。
なお、除湿手段１３を動作させるためには電力を多く必要とする一方、画像形成装置に通紙している状態では作像部１４に対する湿度の影響が軽微であるため、通紙していない状態でのみ除湿手段１３を動作させることにより、画像形成装置全体が消費する電力を抑えることが可能である。また、省エネルギを欲するユーザの場合には除湿手段１３をまったく動作させないようにすることも可能である。
【００２６】
除湿手段１３は、ペルチェ素子１０、冷却除湿部材１１、排熱部材１２を有し、除湿気流経路Ａと排熱気流経路Ｂとを形成する筐体２２と除湿排熱ケース１５に覆われ一体構成とすることができる。なお、図４に示す断熱部材９ａは、除湿気流を画像形成装置１の内部温度から断熱させ、除湿効果を高める手段である。
【００２７】
ここで、除湿手段１３は、ペルチェ素子１０を用いることで装置の小型化、省エネルギ化を図ることができる。例えば、図４に示したペルチェ阻止１０を用いることで装置の小型化、簡素化を達成している。
【００２８】
除湿手段１３は、冷却除湿部材１１を冷却フィンで例示し、ペルチェ素子１０の吸熱面との間に不図示の熱伝導部材を挟持させている。また、排熱部材１２を放熱フィンで例示し、同様にペルチェ素子１０の発熱面との間に不図示の熱伝導部材を挟持させている。
【００２９】
断熱部材９ｂは、除湿気流経路Ａ及び排熱気流経路Ｂを隔離する隔壁の開口部に設けられ、冷却除湿部材１１（冷却フィン）と排熱部材１２（放熱フィン）との間を断熱する断熱手段として機能する。
【００３０】
筐体２２は、除湿手段１３を囲む除湿気流経路Ａと排熱気流経路Ｂの一部を形成させ、除湿気流経路Ａと排熱気流経路Ｂの共通開口面を露出させている。この共通開口面は除湿排熱ケース１５で一体に覆うことで気流が分離された除湿気流経路Ａと排熱気流経路Ｂを完成させることができる。なお、吸水拡散部材２５は、冷却除湿部材１１で生じる除湿水の吸水搬送を行う。
【００３１】
除湿気流ファン２１は、冷却除湿部材１１に空気を送るファンとして機能し、除湿気流経路から気流経路２４へ除湿空気を送風する。一方、排気ファン２０は、排熱部材１２側から空気を吸込み、加熱された空気を排熱する。
【００３２】
図４に示すように、吸水拡散部材２５は、冷却除湿部材１１から滴下した除湿水を吸収し、水平方向に水の搬送を行うことができる。すなわち、吸水拡散部材２５は、冷却除湿部材１１に結露した水を随時水平方向に搬送するので、冷却除湿部材１１の下部に多量の水を貯留する水溜部を設ける必要がなく、画像形成装置１が振動又は傾いた影響による水漏れ等を防ぐことができる。
【００３３】
また、除湿手段１３内部に除湿水を貯える貯留領域を併設させ、結露した水を一時的に貯留することもできる。すなわち、除湿手段１３内部に貯水領域を設けることで冷却除湿部材１１にて生じる除湿水を除湿手段１３の内部にそのまま貯水させることもできる。
【００３４】
吸水拡散部材２５は、排熱気流経路に沿って底面及び鉛直面に設置されているので、省スペースでも吸収している水を容易に蒸発させることができる。特に、排熱部材１２を通過した後の気流は吸入口の気流に比して温風であるので、吸水拡散部材２５に吸収された水の蒸発能力を向上させることができる。
【００３５】
このように除湿手段１３は、除湿水の蒸発機構を有するので、除湿手段のメンテナンス性向上や省スペース化を向上させ、除湿水を排熱気流経路にて蒸発させることで、大容量の貯水タンクや水の廃棄等の作業が不要になる。
【００３６】
また、画像形成装置１は、除湿する作像部１４を感光体３１とそれに近接する他のプロセス手段（例えば、転写紙容器２６、転写紙搬送手段２９、像転写手段３２）等の周辺を対象とすることで、画像形成装置１の小型化、省エネルギ化を促進させることができる。
【００３７】
さらに、作像部１４は、感光体３１と少なくとも他の１つのプロセス手段（例えば、像転写手段３２）を含む略密閉されたプロセスカートリッジで提供することで、さらに除湿の効率をあげて、画像形成装置１の小型化、省エネルギ化を図ることができる。
【００３８】
さらにまた、除湿対象部を転写紙２８と転写紙搬送手段２９を含む領域の近傍および転写紙容器２６内部にまで拡張させることで、転写紙２８と転写紙搬送手段２９が大気に比して過度に吸湿することを防止し、安定した搬送性と転写性とを共に提供することができる。また、排気気流経路に排熱異物除去部材１９若しくは除湿気流経路に除湿異物除去部材１８を設けるので、外気中にほこり等の異物が存在しても、画像形成装置内部の空調対象部にある部品の汚れを有効に防止することができる。
【００３９】
このように、第１の実施の形態では、除湿気流経路の空気を除湿する湿度制御による作像システムの安定化を図ることができ、画像形成装置１内部の空気を除湿することで高湿環境での異常画像発生を防止することもでき、除湿排熱ケース１５で覆った一体構成とする除湿手段１３を採用することで、除湿空気、排熱空気が混ざり合わない画像形成装置を提供することができる。
【００４０】
また、画像形成装置１は、除湿排熱ケース１５で覆った一体構成の除湿手段１３を備えるので、画像形成装置１に除湿手段１３を組付ける工程においてペルチェ素子１０への偏荷重や衝撃を有効に防ぐことができる。
【００４１】
さらに、排熱ファン２０を含めて除湿排熱ケース１５で覆われた一体構成の除湿手段１３を採用することで、排熱部材１２と排熱ファン２０の間の排熱経路に隙間、継ぎ目等が減少するため、除湿手段１３の熱を効率よく排熱でき、除湿効率も向上させることができる。
【００４２】
さらにまた、除湿気流ファン２１を除湿手段１３と一体構成とすることで排熱部材１２と排熱ファン２０の間の排熱経路に隙間、継ぎ目等が減少するので空気を効率よく除湿できる。
【００４３】
さらに、除湿気流ファン２１は、外気を加圧して除湿手段１３へ除湿用空気を送入させているので、作像部気流用ファンを追加で設ける必要がなく画像形成装置１の部品数を減少させることができる。
【００４４】
さらに、外気中にほこり等の異物が存在しても、除湿異物除去部材１８又は排熱異物除去部材１９が異物を除去するので、画像形成装置１の内部部品の汚れを防止することができる。
【００４５】
すなわち、各気流経路に異物除去部材を設けることで、外気中にほこり等の異物が存在しても、空調対象部にある部品の汚れを防止することができる。しかも、各異物除去部材は除湿手段１３と一体構成であり、各気流経路での隙間が少ないため、画像形成装置１の内部部品の汚れを有効に防止することができる。
【００４６】
さらに、作像部１４を概略密閉とすることで、画像形成装置１外の空気との自然交換が少なくなり、除湿による効果をより向上させることができる。また除湿効率も良くなるためエネルギ消費を抑える効果もある。
【００４７】
さらに、除湿対象部を除湿効果の大きい感光体とそれに近接するプロセス手段に限定して除湿することで、除湿の効率を上げて装置の小型化、省エネルギ化を図ることができる。
【００４８】
さらに、除湿対象部をプロセスカートリッジとして一体的に構成することで、除湿対象部の密閉化を保ちやすくなり、除湿の効率を上げて画像形成装置１の小型化、省エネルギ化を図ることもできる。
【００４９】
さらに、除湿対象部を転写紙２８と転写紙搬送手段２９を含む近傍および転写紙容器２６内部にまで広げることで、転写紙２８と転写紙搬送手段２９が過度に吸湿することを防止し、安定した転写紙２８の搬送性と転写性とを提供することができる。
【００５０】
（第２の実施の形態）
図５は、本発明の第２の実施の形態にかかる画像形成装置に用いる除湿手段の平面図である。図４に示した除湿手段と共通する部材に付いては重複する説明を省略する。
【００５１】
図５の右側に示した除湿気流経路から加圧送入された空気は、冷却除湿部材１１を通過し下流の気流経路２４（図１参照）へ移送される。ここで、除湿空気は、冷却除湿部材１１と気流経路２４との間に配置された除湿異物除去部材１８により外部から導入する空気に混入されたダストが濾過され感光体３１等の汚染を防止することができる。
【００５２】
（第３の実施の形態）
図６及び図７は、本発明の第３の実施の形態にかかる画像形成装置に用いる除湿手段の平面図である。図４に示した除湿手段と共通する部材に付いては重複する説明を省略する。
【００５３】
図６の右側に示した除湿気流経路から加圧送入された空気は、冷却除湿部材１１を通過し下流の気流経路２４（図１参照）へ移送される。ここで、除湿空気は、冷却除湿部材１１と気流経路２４との間に配置された共用異物除去部材２７により外部から導入する空気に混入されたダストが濾過され感光体３１等の汚染を防止することができる。
【００５４】
また、共用異物除去部材２７は、除湿気流経路と排熱気流経路を分離する隔壁に設けた貫通口に挿入され、排気ファン２０の吐出口側へ延在している。この場合、共用異物除去部材２７は、排熱気流経路を通過する排熱気流に混在するダストを有効に除去することができ、画像形成装置１内の防塵対象部品の耐久性又は要求性能の低下を防止することができる。
【００５５】
図７は、第３の実施の形態の変形例を示す平面図である。図６に示した共用異物除去部材２７は、排気ファン２０の近傍に設けられたが、図７に示した変形例では、共用異物除去部材２７ａを除湿気流ファン２１と冷却除湿部材１１の間に配置している点が相違する。
【００５６】
共用異物除去部材２７ａは、排熱気流経路及び除湿気流経路の上流に位置するので、吸気した空気を早期に異物除去することができるため、冷却除湿部材１１及び排熱部材１２のフィンにダストが付着する不具合を有効に防止することができる。
【００５７】
このように、第３の実施の形態では、除湿異物除去部材と排熱異物除去部材を一部品とすることで部品数を削減でき、メンテナンスの工程数も減らすことができる。
【００５８】
（第４の実施の形態）
図８は、本発明の第４の実施の形態にかかる画像形成装置の一部切欠き斜視図である。図１に示した構成要素と共通する部材に付いては重複する説明を省略する。
【００５９】
画像形成装置１は、吸気口１６及び排気口１７ａを有する除湿手段１３と、除湿手段１３から気流経路２４を経由して接続される複数の作像部１４ａ〜１４ｄと、複数の作像部１４ａ〜１４ｄから排気経路を経由して排気を排出する排気口１７ｂとを備える。
【００６０】
ここで、作像部１４ａ〜１４ｄは、それぞれ相互に異なる原色像を転写する感光体３１ａ〜３１ｄ、像転写手段３２ａ〜３２ｄ、現像手段３３ａ〜３３ｄ、クリーニング手段３４ａ〜３４ｄ、トナー供給手段３５ａ〜３５ｄを備える。
【００６１】
作像部１４ａ〜１４ｄは、除湿手段１３から異物が除去された除湿空気が供給される複数の感光体３１ａ〜３１ｄを有するカラー作像システムを提供することができる。
【００６２】
このように、第４の実施の形態では、除湿気流経路の空気を除湿するので、画像形成装置１内部のゴム部品の特性値（硬度、ヤング率等）の変化や、現像剤の電荷量変化、トナー特性（流動性等）の変化を抑制するため、複数の感光体３１ａ〜３１ｄを有するカラー作像システムにおいて各作像システム間の転写画像の差異を小さくし、色ズレ等を軽減でき高画質化を達成することができる。
【００６３】
なお、本発明の実施の形態に記載された、作用及び効果は、本発明から生じる最も好適な作用及び効果を列挙したに過ぎず、本発明による作用及び効果は、本発明の実施の形態に記載されたものに限定されるものではない。
【図面の簡単な説明】
【００６４】
【図１】第１の実施の形態にかかる画像形成装置のブロック図。
【図２】第１の実施の形態に用いる除湿手段の斜視図。
【図３】第１の実施の形態に用いる除湿手段の斜視図。
【図４】第１の実施の形態に用いる除湿手段の平面図。
【図５】第２の実施の形態に用いる除湿手段の平面図。
【図６】第３の実施の形態に用いる除湿手段の平面図。
【図７】第３の実施の形態に用いる除湿手段の平面図。
【図８】第４の実施の形態にかかる画像形成装置の一部破断斜視図。
【図９】除湿手段の動作を示すフローチャート。
【符号の説明】
【００６５】
１    画像形成装置
８    湿度検出手段（湿度センサ）
９，９ａ，９ｂ    断熱部材
１０    ペルチェ素子
１１    冷却除湿部材
１２    排熱部材
１３    除湿手段
１４    作像部
１５    除湿排熱ケース
１６，１６ａ，１６ｂ    吸気口
１７，１７ａ，１７ｂ    排気口
１８，１８ａ    除湿異物除去部材
１９    排熱異物除去部材
２０    排熱ファン（排気ファン）
２１    除湿気流ファン
２２    筐体
２３    排気経路
２４    気流経路
２５    吸水拡散部材
２６    転写紙容器
２７，２７ａ    共用異物除去部材
２９    転写紙搬送手段
３１    感光体
３２    像転写手段
Ａ    除湿気流経路
Ｂ    排熱気流経路
Ｃ    除湿空気
Ｄ    排熱
Ｅ    排出空気
【図１】
2006163332.tif 000003
【図２】
2006163332.tif 000004
【図３】
2006163332.tif 000005
【図４】
2006163332.tif 000006
【図５】
2006163332.tif 000007
【図６】
2006163332.tif 000008
【図７】
2006163332.tif 000009
【図８】
2006163332.tif 000010
【図９】
2006163332.tif 000011